(57)【特許請求の範囲】
【請求項１】
カンを密封するエンドであって、
切り込み線（Ｓ）が形成された開封部（２５）が一側に設けられたパネル（２０）と；
中心部に形成されたボタン結合部（４４）に第１ボタンホール（４６）が形成され、前記第１ボタンホール（４６）を介して前記パネル（２０）から突設した第１ボタン（２６）に回転自在に結合され、前端加圧部（４１）が前記開封部（２５）の上部に配置された第１位置と、後端フィンガー部（４２）が前記開封部（２５）の上部に配置される第２位置との間に回転自在に設置されるタブ（４０）と；
第１位置と第２位置との間に回転自在に設置され、前記タブ（４０）が切り込み線を破断して前記開封部（２５）を開封させた後、第２位置に配置されるとき、第２位置で前記タブ（４０）によって支持されながら前記開封部（２５）を閉鎖する閉鎖板（５０）と；
を含み、
前記閉鎖板（５０）は、前記パネル（２０）と前記タブ（４０）との間に配置され、
前記タブ（４０）の前記ボタン結合部には、第２ボタンホール（４７）が形成され、
前記閉鎖板（５０）には、前記第１ボタン（２６）が通過するボタン貫通ホール（５１）と、突出する第２ボタン（５２）が形成され、
前記第１ボタン（２６）は、前記ボタン貫通ホール（５１）を通過し、前記タブ（４０）と回転自在に結合され、前記第２ボタン（５２）が前記第２ボタンホール（４７）を通過し、結合されることによって、前記閉鎖板（５０）は、前記タブ（４０）と一体に回転することを特徴とする再密封可能なイージーオープンエンド。
【請求項２】
前記パネル（２０）の表面（２２）には、前記タブ（４０）が第２位置に配置された状態で前記タブの加圧部（４１）を上部に押し上げて、てこの原理で前記フィンガー部（４２）が前記閉鎖板（５０）を押圧して加圧するてこバブル（２７）が形成され、
前記閉鎖板（５０）には、前記閉鎖板（５０）が第１位置に位置するとき、前記てこバブル（２７）が前記閉鎖板（５０）と干渉することを防止するために、前記てこバブル（２７）を収容するように突出するバブル収容溝（５４）を備えることを特徴とする請求項１に記載の再密封可能なイージーオープンエンド。
【請求項３】
前記閉鎖板（５０）には、前記フィンガー部（４２）の下側にフィンガー部支持突起（５６）が突設することを特徴とする請求項２に記載の再密封可能なイージーオープンエンド。
【請求項４】
前記タブ（４０）は、中心部分が隆起していることを特徴とする請求項２に記載の再密封可能なイージーオープンエンド。
【請求項５】
前記パネル（２０）の表面（２２）上には、前記閉鎖板（５０）の第１位置と第２位置に該当する領域で前記閉鎖板（５０）を収容する凹設された表面形態の第１凹状表面（３０）を備えることを特徴とする請求項１〜４のいずれかに記載の再密封可能なイージーオープンエンド。
【請求項６】
前記パネル（２０）の表面（２２）上には、前記第１凹状表面（３０）の領域を含み、前記閉鎖板（５０）が第１位置と第２位置との間で移動する経路に該当する領域を含む凹設された第２凹状表面（３５）を備え、これにより、パネルの表面（２２）と第１凹状表面（３０）及び第２凹状表面（３５）の境界、及び第１凹状表面（３０）と第２凹状表面（３５）の境界には、段差が形成されることを特徴とする請求項５に記載の再密封可能なイージーオープンエンド。
【請求項７】
前記閉鎖板（５０）の第２位置の下部の前記パネル（２０）の表面（２２）には、イベントまたはプロモーションのための文句が印刷される印刷空間（２９）が設けられ、前記印刷空間（２９）は、前記閉鎖板（５０）が前記タブ（４０）と一緒に第２位置に移動するとき、露出することを特徴とする請求項１に記載の再密封可能なイージーオープンエンド。
【発明の詳細な説明】
【技術分野】
【０００１】
本発明は、カンのエンド（Ｅｎｄ）に関し、詳細には、カン容器の上端エンドを構成するパネルに切り込み線（ｓｃｏｒｅ）を形成し、タブ（ｔａｂ）によって容易に破断され得るようにして、カンの開封が容易に行われることができるようにしたカンのイージーオープンエンドに関し、より詳細には、エンドの切り込み線がタブによって破断され、カンが開封された後、カン容器を携帯して移動するとき、内部の飲み物及び／または炭酸ガスの漏出が防止されることができるように、開封部を閉鎖することができるようにした、カンの再密封可能なイージーオープンエンドに関する。
【背景技術】
【０００２】
一般的に、カン容器は、円筒状のカンボディーと、カンボディーの上端部に密封結合されるエンド（ＥＮＤ）とを含む。エンドは、カン容器で上端を構成する部分を全体的に指称する用語である。
【０００３】
エンドは、アルミニウムまたはアルミニウム合金で製造され、金属材質のカンボディーの上端に結合され、カンボディーの上端部とエンドの縁部は、飲み物の充填工場でシーミングチャック（Ｓｅａｍｉｎｇ  Ｃｈｕｃｋ）とロール（Ｒｏｌｌ）によってシーミング（Ｓｅａｍｉｎｇ）結合され、内部の飲み物が密封される。
【０００４】
エンドを構成するパネルの表面の一側には、破断線形態の切り込み線３（Ｓｓｃｏｒｅ）が刻まれた開封部が形成され、前記切り込み線をてこの原理で加圧して破断させることによって、開封部を開封することができるようにするタブ（ｔａｂ）が設置される。タブは、パネルにリベッティング固定される。
【０００５】
したがって、ユーザがタブの終端を持ち上げれば、切り込み線上部に位置するタブの他端部が切り込み線をてこの原理に加圧して破断船に沿って破断が行われ、これにより、開封部が開封される。
【０００６】
従来のカンでは、このように切り込み線が破断されて開封部が開封されたカンで開封部を再び閉鎖することができる構造が設けられていない。したがって、再び飲用するために、内容物が残っているカンを携帯して移動するか、または開封後に内容物を保管するのに不便さがあった。
【０００７】
このような問題点を解決するために、エンドの上部にプラスチック蓋体を被せる方式が提案されたが、エンドパネルの上部に飲み物が流動し、パネルにある異物が飲み物に混入される問題点があった。
【０００８】
その他、開封部を再び閉鎖することができる構造に関する多様なアイディアが提案されているが、このようなアイディアは、カンの製作工程自体を新しく変更しなければならないので、製缶メーカ及び飲み物メーカの立場では、設備を変更しなければならない問題点が発生し、採用されていない。すなわち、 製缶メーカ及び飲み物メーカの立場では、従来の飲み物の工場の充填設備と工程を利用することができ、既存の生産速度を維持することができる再密封可能なカンエンド構造を必要とする。
【０００９】
一方、近年、飲み物カンを用いて多様なイベント、プロモーション、広告などが行われている。その例として、タブの構造を変更し、タブにホールを形成せずに閉鎖された形態で形成し、切り込み線を破断するときに持ち上げられる裏面に一連番号を印刷することによって、購買者が前記一連番号をコンピュータウェブ上に入力し、景品の当選有無を確認するようにするプロモーション方法が使用されている。このようにタブの裏面に一連番号を印刷する方式は、購買者の興味と注目性を向上させる長所があるものと把握されている。
【００１０】
しかし、タブの裏面に一連番号を印刷するためには、パネルにあらかじめ一連番号を印刷し、印刷した部分に合わせてタブを加工しなければならないので、製作が難しいという問題点がある。また、タブの裏面は、印刷をすることができる面積が小さいという短所がある。したがって、飲み物メーカでは、多様な広告文句などを一緒に記載し、広告効果を高めたい欲求があっても、これを実行していない。
【００１１】
一方、このような製作上の費用増加を初めとした短所と広告効果の限界に起因して、一部の飲み物メーカは、タブではないカンのカンボディー側面や底面に一連番号と広告文句を一緒に記載する方式を使用しているが、ユーザの注目を大きく引かない限界がある。すなわち、イベント、プロモーションなどの効果を極大化するためには、購買者がカンを開封する一連の動作とともに、広告文句、一連番号が露出するようにして、購買者が感じる楽しさを増加させ、注目性を増加させることが必要であるが、開封以前に完全に露出した方式は、購買者の興味を反感させる傾向にあるからである。
【００１２】
したがって、飲み物メーカでは、購買者の興味と注目性を向上させながらも、広告文句などのための十分な印刷空間が確保されることができるイベント、プロモーションのための隠された印刷空間を有するカンに対する要求が増大している。
【発明の概要】
【発明が解決しようとする課題】
【００１３】
本発明の目的は、カン開封後に開封部をさらに閉鎖し、内容物の流出を防止しながらカンを携帯及び保管することができるようにする再密封可能なイージーオープンエンドを提供することにある。
【００１４】
また、本発明の他の目的は、従来のカン製造設備を交替することなくそのまま活用しながら簡単な設備変更だけで製作することができる再密封可能なイージーオープンエンドを提供することにある。
【００１５】
また、本発明のさらに他の目的は、イベント及びプロモーションなどのための隠された印刷空間を提供することができる再密封可能なイージーオープンエンドを提供することにある。
【課題を解決するための手段】
【００１６】
本発明による再密封可能なイージーオープンエンドは、カンを密封するエンドであって、切り込み線（Ｓ）が刻まれて形成された開封部が一側に設けられたパネルと；中心部に形成されたボタン結合部に第１ボタンホールが形成され、前記第１ボタンホールを介して前記パネルから突設した第１ボタンに回転自在に結合され、前端加圧部が前記開封部の上部に配置された第１位置と、後端フィンガー部が前記開封部の上部に配置される第２位置との間に回転自在に設置されるタブと；第１位置と第２位置との間に回転自在に設置され、前記タブが切り込み線を破断して前記開封部を開封させた後、第２位置に配置されるとき、第２位置で前記タブによって支持されながら前記開封部を閉鎖する閉鎖板とを含む。
【００１７】
本発明によれば、前記閉鎖板は、前記パネルと前記タブとの間に配置され、前記タブの前記ボタン結合部には、第２ボタンホールが形成され、前記閉鎖板には、前記第１ボタンが通過するボタン貫通ホールと、突出する第２ボタンが形成され、前記第１ボタンは、前記ボタン貫通ホールを通過し、前記タブと回転自在にリベッティング結合され、前記第２ボタンが前記第２ボタンホールを通過し、リベッティング結合されることによって、前記閉鎖板は、前記タブと一体に回転する。
【００１８】
本発明によれば、前記パネルの表面には、前記タブが第２位置に配置された状態で前記タブの加圧部を上部に押し上げて、てこの原理で前記フィンガー部が前記閉鎖板を押圧して加圧するてこバブルが形成され、前記閉鎖板には、前記閉鎖板が第１位置に位置するとき、前記てこバブルが前記閉鎖板と干渉することを防止するために、前記てこバブルを収容するように突出するバブル収容溝を備える。
【００１９】
本発明によれば、前記閉鎖板には、前記フィンガー部の下側にフィンガー部支持突起が突設する。
【００２０】
本発明によれば、前記タブは、中心部分が隆起し、三角形形状に曲げられる。
【００２１】
本発明によれば、前記パネルの表面上には、前記閉鎖板の第１位置と第２位置に該当する領域で前記閉鎖板を収容する凹設された表面形態の第１凹状表面を備える。
【００２２】
本発明によれば、前記パネルの表面上には、前記第１凹状表面の領域を含み、前記閉鎖板が第１位置と第２位置との間で移動する経路に該当する領域を含む凹設された第２凹状表面を備え、これにより、パネルの表面と第１凹状表面及び第２凹状表面の境界、及び第１凹状表面と第２凹状表面の境界には、段差が形成される。
【００２３】
本発明によれば、前記閉鎖板の第２位置の下部の前記パネルの表面には、イベントまたはプロモーションのための文句が印刷される印刷空間が設けられ、前記印刷空間は、前記閉鎖板が前記タブと一緒に第２位置に移動するとき、露出する。
【発明の効果】
【００２４】
本発明の再密封可能なイージーオープンエンドによれば、カン開封後に開封部を再び閉鎖し、飲み物及び炭酸ガスの流出を防止しながらカンを携帯することができる。
【００２５】
本発明によれば、カンに収納された飲み物は、開封後にも新鮮度と味を維持することができ、開封後に、ほこり、昆虫などの異物がカンの内部に流入されることを防止することができる。したがって、カン飲み物を保管可能になり、ＰＥＴ及びガラス瓶が占めている５００ｍｌ以上の飲み物製品にもカン製品の市販が可能である。
【００２６】
また、本発明の再密封可能なイージーオープンエンドは、従来のカン製造工程及び設備を利用しながら簡単な設備変更だけで製作可能であるという長所がある。従来のカン製作工程は、円板を切断し、円形形態でプレートを切断し、プレス工程、タブ成形工程を進行しながらエンドを製造し、本発明による再密封可能なイージーオープンエンドは、従来のエンド工程で使用される工程をそのまま活用し、閉鎖板を従来のエンド工程装備を利用して製造結合することが可能である。
【００２７】
また、本発明の再密封可能なイージーオープンエンドは、イベント及びプロモーションなどのための隠された印刷空間を提供し、印刷空間が相対的に大きく確保することが可能なので、多様な広告文句を活用してイベント及びプロモーションを進行させることが可能であり、購買者の興味性と注目性を向上させる長所がある。
【図面の簡単な説明】
【００２８】
【図１】本発明による再密封可能なイージーオープンエンドの斜視図である。
【図２】本発明による再密封可能なイージーオープンエンドの部品図である。
【図３】本発明による再密封可能なイージーオープンエンドのパネル及び閉鎖板の結合図である。
【図４】本発明による再密封可能なイージーオープンエンドの閉鎖板及びパネルの結合図である。
【図５】本発明による再密封可能なイージーオープンにおいてタブが第１位置にあるときの平面図である。
【図６】図５に示された状態での断面図である。
【図７】本発明による再密封可能なイージーオープンエンドにおいてタブが第２位置に回転した状態を示すた図面である。
【図８】図７に示された状態での断面図である。
【発明を実施するための形態】
【００２９】
以下、添付の図面を参照して本発明の実施形態を詳細に説明する。
図１は、本発明による再密封可能なイージーオープンエンドの斜視図であり、図２は本発明による再密封可能なイージーオープンエンドの部品図であり、図３は、本発明による再密封可能なイージーオープンエンドのパネル及び閉鎖板の結合図であり、図４は、本発明による再密封可能なイージーオープンエンドの閉鎖板及びパネルの結合図であり、図５は、本発明による再密封可能なイージーオープンにおいてタブが第１位置にあるときの平面図であり、図６は、図５に示された状態での断面図であり、図７は、本発明による再密封可能なイージーオープンエンドにおいてタブが第２位置に回転した状態を示す図であり、図８は、図７に示された状態での断面図である。
【００３０】
本発明による再密封可能なイージーオープンエンド１０は、カンの上端と結合してパネル２０を含む。パネル２０の側端に位置する縁部２１は、ベンディングされ、カンボディー１（図６及び図８を参照）の上端部とシーミング結合されることによって、内部飲み物の密封が可能に結合される。
【００３１】
パネル２０の縁部２１の内側のパネル表面２２の端部には、環状溝形態のカウンターシンク２３が形成される。カウンターシンク２３は、カンの耐圧に耐える役目をし、カンボディー１とエンド１０をシーミングすることができるように、エンド１０がシーミングチャックに固定されることができる。また、飲み物の充填工場でシーミングチャックがカウンターシンク２３の部分に着座され、シーミングロールによってカンのボディー１とエンド１０が密封されることができる。また、生産された完製品で上部に積層されるカンの底部が着座される部分になる。
【００３２】
本発明による再密封可能なイージーオープンエンド１０は、エンド１０を構成するパネル２０の表面２２上に閉鎖手段としての閉鎖板５０及びタブ４０を含む。
【００３３】
図面を参照すれば、本発明による再密封可能なイージーオープンエンド１０のパネル２０の表面２２には、公知されたエンドと同様に、パネル表面２２の一側に破断線形態の切り込み線Ｓが刻まれた開封部２５を含む。
【００３４】
パネル２０の表面２２の中心部には、表面２２が下部から上部にプレッシングされて突設した第１ボタン２６を含む。第１ボタン２６には、閉鎖板５０及びタブ４０がリベッティングされる。
【００３５】
本発明によれば、第１ボタン２６の後側には、パネル表面２２から突出するてこバブル２７が形成される。てこバブル２７は、タブ４０と一緒に閉鎖板５０が開封部２５を密閉するために第２位置に回転したとき、タブ４０の前端加圧部４１を上昇させて、後端フィンガー部４２が閉鎖板５０を加圧しながら押圧することができる。
【００３６】
本発明によれば、パネル２０の表面２２には、第１凹状表面３０が形成される。第１凹状表面３０は、閉鎖板５０の第１位置及び第２位置領域を含むものであって、第１位置及び第２位置での閉鎖板５０を収容する収容溝である。第１凹状表面３０には、切り込み線Ｓが刻まれた開封部２５を含み、すなわち開封部２５は、第１凹状表面３０に形成され、前記第１ボタン２６を中心に前記開封部２５に対向する領域を含む。開封部２５に対向する領域は、閉鎖板５０が第１位置に位置するときに隠される領域であって、後述する印刷空間２９を形成する。
【００３７】
第１凹状表面３０は、パネル２０の表面２２がプレッシングされて形成されるもので、プレッシングされていないパネル２０の表面２２の他の部分に比べて凹設された領域である。
【００３８】
本発明によれば、パネルの表面２２には、第１凹状表面３０を含む領域を含み、パネル２０の表面２２でプレッシングされたハート形状の第２凹状表面３５を含む。
【００３９】
第２凹状表面３５は、その内部領域に第１凹状表面３０の領域と閉鎖板５０の移動経路を含む。第２凹状表面３５は、その内部領域に第１凹状表面３０の領域を含むので、第１凹状表面３０の領域と第１凹状表面３０の領域に該当しない第２凹状表面３５の残りの領域とを対比すれば、第１凹状表面３０の領域は、残りの第２凹状表面３５の領域に比べて低く位置する。第２凹状表面３５の領域は、パネルの表面２２でプレッシングされて形成されるもので、プレッシングされないパネル２０の表面２２との境界で段差を有し、このような段差は、パネルの表面２２の耐圧強度を増加させ、タブ４０がてこの原理で動作しながら切り込み線Ｓを破断する動作中にパネルの表面２２に変形が起きることを防止する。このような耐圧強度の増進及びパネルの表面２２の変形防止効果は、第１凹状表面３０も有するものであって、本発明によれば、パネルの表面２２と段差をもって凹設された第１凹状表面３０及び第２凹状表面３５、また第２凹状表面３０の内部に段差をもって凹設された第１凹状表面３０を形成し、開封部２５の開封時にパネルの表面２２の変形を抑制することによって、閉鎖板５０によって開封部２５の密閉性能が向上することができる。
【００４０】
本発明の再密封可能なイージーオープンエンドは、タブ４０を含む。タブ４０は、第１ボタン２６にリベッティングされ、第１ボタン２６を中心にするてこの原理によって切り込み線Ｓを破断し、開封部２５を開封させるためのものである。
【００４１】
タブ４０は、公知の形状と同様に、前端に、開封部２５の上部に位置し、開封時に切り込み線Ｓを破断する加圧部４１が設けられ、後端に、ユーザが指で持ち上げて力を加える部分であるフィンガー部４２が設けられ、中心には、ボタンが結合されるボタン結合部４４が設けられる。
【００４２】
ボタン結合部４４は、前端の加圧部に向けた面を除いて周りを取り囲んで切開されている。このような構造によって、ボタン結合部４４をアイランド（ｉｓｌａｎｄ）構造と指称することができる。
【００４３】
フィンガー部４２の前方側には、貫通されたタブホール４３を備える。タブホール４３の形成時に、タブホール４３を取り囲んで端部が下方にベンディングされ、後端のフィンガー部４２の断面強度が増加される。
【００４４】
本発明は、このような公知のタブ４０の構造において、ボタン結合部４４に２つのボタンホールを形成する。前方側第１ボタンホール４６は、パネルの表面２２が突設された第１ボタン２６が結合され、第１ボタンホール４６の後方側に形成された第２ボタンホール４７を介して、閉鎖板５０の表面から突設された第２ボタン５２がリベッティング結合される。突起形状の第１ボタン２６及び第２ボタン５２が第１及び第２ボタンホール４６、４７を貫通し、上端がプレッシングにより外側に拡張されることによって、リベッティング結合されるものである。
【００４５】
このような結合により、タブ４０は、第１ボタン２６によってパネルの表面２２に対して回転自在に固定され、第２ボタン５２によって閉鎖板５０と一体に動作するように固定される。第１ボタン２６は、閉鎖板５０のボタン貫通ホール５１を貫通し、タブ４０にリベッティングされる。
【００４６】
本発明によれば、タブ４０は、中心付近が隆起される三角形の形態でベンディングされる。したがって、アイランド構造のボタン結合部４４を除いて三角形の２つの斜面形態を有するようになる。タブ４０がこのようなベンディングされた形態を有することによって、タブ４０が第２位置に位置するとき、フィンガー部４２が閉鎖板５０を押圧する圧力を加重させることができる。
【００４７】
本発明によれば、タブ４０は、前端加圧部４１がパネル表面２２の開封部２５の上部に位置する第１位置と、１８０度（ｄｅｇｒｅｅ）回転し、フィンガー部４２が開封部２５の上部に位置する第２位置との間で回転する。第１ボタン２６が回転中心になる。タブ４０の回転時に、閉鎖板５０が第２ボタン５２を媒介にしてタブ４０と一体に結合されているので、閉鎖板５０もタブ４０と一緒に回転する。したがって、タブ４０は、閉鎖板５０の回転取っ手の機能をするようになる。
【００４８】
本発明による再密封可能なイージーオープンエンド１０は、タブ４０とパネル２０との間に配置される閉鎖板５０を含む。
【００４９】
閉鎖板５０は、切り込み線Ｓが破断されて開封された開封部２５を閉鎖する部材である。閉鎖板５０は、円形のプレートで形成され、タブ４０と一緒に第１位置と第２位置との間に回転し、第２位置で開封部２５を覆って密閉する。
【００５０】
閉鎖板５０には、パネルの表面２２に突設された第１ボタン２５が通過するボタン貫通ホール５１が形成されていて、その後方側には、第２ボタン５２が突設される。第２ボタン５２は、タブ４０の第２ボタンホール４７を通過し、タブ４０とリベッティングされる。
【００５１】
第２ボタン５２の後方側には、閉鎖板５０が第１位置に位置するとき、パネルの表面２２に形成されたてこバブル２７を収容するように上部に突出するバブル収容溝５４を含む。
【００５２】
バブル収容溝５４によって閉鎖板５０が第１位置に位置するとき、閉鎖板５０とパネルの表面２２に形成されたてこバブル２７が干渉することが防止され、第１位置で閉鎖板５０を固定する機能をする。
【００５３】
本発明によれば、閉鎖板５０には、タブ４０のフィンガー部４２が当接する位置にフィンガー部４２が上昇するように支持するフィンガー部支持突起５６を含む。
【００５４】
フィンガー部支持突起５６は、フィンガー部４２を閉鎖板５０の表面から離隔させて、ユーザがフィンガー部４２を容易につかむことができ、第２位置でフィンガー部４２が閉鎖板５０の表面を加圧するとき、閉鎖板５０の表面が変形されることを防止しながら加圧する力が閉鎖板５０の表面全体を通じて均一に分散することができる。また、加圧力を上昇させる。
【００５５】
閉鎖板５０を第１位置で第１凹状表面３０上に位置し、１８０度回転し、第２位置で第１凹状表面３０内に形成された開封部２５を覆う。
【００５６】
第１凹状表面３０は、第１位置で閉鎖板５０の着座面を形成する。また、閉鎖板５０が第１位置に位置し、閉鎖板５０によって隠される第１凹状表面３０には、イベントまたはプロモーションのための文句が印刷される印刷空間２９が設けられる。
【００５７】
閉鎖板５０が第２位置に回転することによって露出する印刷空間２９は、タブの裏面に形成される印刷空間より大きく形成されることが可能なので、単純に一連番号だけでなく、多様な広告文句を一緒に記載し、イベント及びプロモーションの効果を増大させることが可能である。さらに、前記印刷空間２９は、印刷が容易であり、タブ４０と一緒に閉鎖板５０を回転させる場合のみに露出するので、興味性と注目性を提供することができるという長所がある。
【００５８】
開封部２５が開封された後、閉鎖板５０は、第２凹状表面３５領域を通過し、第２位置に移動するが、第２凹状表面３５は、第１凹状表面３０より突出する領域なので、閉鎖板５０が若干持ち上げられた状態で移動するが、第２位置でさらに第１凹状表面３０内に収容され、開封部２５を覆って密封する。第２位置で第１凹状表面３０の内側端が閉鎖板５０の外側端を取り囲むので（ボタン方向を除外）、第１凹状表面３０は、閉鎖板５０による開封部２５の密閉性を向上させる。
【００５９】
以下、図５〜図８を参照して本発明による再密封可能なイージーオープンエンド１０の作用を説明する。
【００６０】
図５及び図６は、本発明による再密封可能なイージーオープンエンド１０において閉鎖板５０及びタブ４０が第１位置に位置する状態を示している。
【００６１】
閉鎖板５０は、第１凹状表面３０内に収容されていて、タブ４０のフィンガー部４２は、フィンガー部支持突起５６によって閉鎖板５０の表面から離隔されている。したがって、タブ４０がベンディングされた形態よりなり、タブ４０のフィンガー部４２の閉鎖板５０に密着された状態でも、ユーザは、タブ４０のフィンガー部４２を容易に持ち上げることができる。
【００６２】
ユーザがフィンガー部４２を持ち上げて、加圧部４１が切り込み線Ｓを破断するように力を加える場合、タブ４０のボタン結合部４４は、第１ボタン２６によって固定された状態でてこの原理でタブ４０が持ち上げられ、タブの加圧部４１が切り込み線Ｓを押圧するようになる。これにより、切り込み線Ｓが破断されながらカンの内部に入るようになり、開封部２５が開封される。開封部２５を通じてユーザは飲み物を飲むようになる。飲み物を一定量だけ飲んでから開封部２５を閉鎖するか、または飲み物をすべて飲んだ後、イベントまたはプロモーション文句を確認するためには、閉鎖板５０が第２位置に回転する。この際、タブ４０及び閉鎖板５０は、第２ボタンによって一体に動作するように結合された状態で第１ボタン２５に回動自在に結合されているので、ユーザは、タブ４０を閉鎖板５０の移動取っ手にして閉鎖板５０の第２位置に容易に移動させることができる。
【００６３】
図７及び図８を参照して、閉鎖板５０が第２位置に移動した状態を説明する。閉鎖板５０が第２位置に移動すれば、まず閉鎖板５０の第１位置で閉鎖板５０の下部に位置する印刷空間２９が露出する。このような印刷空間２９は、ユーザの能動的動作によって露出する空間であって、購買者に注目性と興味性を感じらせ、これにより、広告及びプロモーション効果を極大化することができる。
【００６４】
閉鎖板５０は、第２位置で開封された開封部２５を覆う。この際、閉鎖板５０は、単純に開封部２５上に載置されるものではなく、タブ４０の加圧部４１がてこバブル２７によって持ち上げられるので、フィンガー部４２が閉鎖板５０を押圧するようになる。この際、フィンガー部４４は、閉鎖板５０を押圧するものではなく、フィンガー部支持突起５６を押圧するようになるので、力が閉鎖板５０の表面を通じて均一にに分散されながら閉鎖板５０が全体的に押圧される効果を有するようになる。このように閉鎖板５０は、第２位置で加圧状態で押圧されながら開封部２５を覆うようになるので、開封部２５は、密閉されることができる。開封部２５が閉鎖されて飲み物の流出が防止されるので、ユーザは、カンを携帯して移動することが容易である。
【００６５】
以上、本発明を実施形態を中心にして説明したが、これは、提示された例に過ぎず、本発明は、本発明の属する技術分野における通常の知識を有する者は、自明な多様な変形及び均等なその他の実施形態に実施されることができ、このような変形実施は、本発明の範囲に属する。
【図１】
0005888818.tif 000002
【図２】
0005888818.tif 000003
【図３】
0005888818.tif 000004
【図４】
0005888818.tif 000005
【図５】
0005888818.tif 000006
【図６】
0005888818.tif 000007
【図７】
0005888818.tif 000008
【図８】
0005888818.tif 000009